(57)【要約】【課題】  走査線電流の変動を低減し、表示むらやクロストークの少ない電気光学装置の駆動回路を提供する。【解決手段】  電気光学装置の駆動回路において、表示部を階調制御する階調信号を生成する階調信号生成手段と、走査線のうち特定の走査線を選択し、この選択された走査線を接地する走査線切換え手段と、前記階調信号に基づいて前記各データ線に電流を供給するデータ線切換え手段と、を備え、前記階調信号生成手段は、所定のデータ線がオンからオフに遷移するタイミングで、この所定のデータ線と異なるデータ線がオフからオンに遷移するように、前記各データ線が遷移する遷移タイミングを決定し、この遷移タイミングを含んで前記階調信号を生成する。【選択図】      図２
2006243222.tif 000002
【特許請求の範囲】
【請求項１】
複数の走査線と、複数のデータ線と、前記走査線と前記データ線との交差に対応して設けられた有機ＥＬ素子を含む表示部とを備えた電気光学装置の駆動回路であって、
前記表示部を階調制御する階調信号を生成する階調信号生成手段と、
前記走査線のうち特定の走査線を選択し、この選択された走査線を接地する走査線切換え手段と、
前記階調信号に基づいて前記各データ線を介して前記ＥＬ素子に電流を供給するデータ線切換え手段と、を備え、
前記階調信号生成手段は、所定のデータ線がオンからオフに遷移するタイミングで、この所定のデータ線と異なるデータ線がオフからオンに遷移するように、前記各データ線が遷移する遷移タイミングを決定し、この遷移タイミングを含んで前記階調信号を生成することを特徴とする駆動回路。
【請求項２】
マトリクス状に配置した複数の走査線と、複数のデータ線と、前記走査線と前記データ線との交差に対応して設けられた有機ＥＬ素子とを備え、前記有機ＥＬ素子を単純マトリクス駆動方式により駆動する電気光学装置の駆動回路であって、
前記表示部を階調制御する階調信号を生成する階調信号生成手段と、
前記走査線のうち特定の走査線を選択し、この選択された走査線を接地する走査線切換え手段と、
前記階調信号に基づいて前記各データ線を介して前記ＥＬ素子に電流を供給するデータ線切換え手段と、を備え、
前記階調信号生成手段は、所定のデータ線がオンからオフに遷移するタイミングで、この所定のデータ線と異なるデータ線がオフからオンに遷移するように、前記各データ線が遷移する遷移タイミングを決定し、この遷移タイミングを含んで前記階調信号を生成することを特徴とする駆動回路。
【請求項３】
請求項１または２に記載の駆動回路において、
前記階調信号生成手段は、入力される階調データに基づいて、この階調データの輝度度数分布を作成し、この輝度度数分布に基づいて、前記各データ線の遷移タイミングを決定することを特徴とする駆動回路。
【請求項４】
請求項３に記載の駆動回路において、
前記階調信号生成手段は、前記各データ線に同時に流れる電流の総和が一定になるように、前記各データ線の遷移タイミングを決定することを特徴とする駆動回路。
【請求項５】
請求項３または４に記載の駆動回路において、
前記階調信号生成手段は、１フレーム分の階調データに基づいて、この階調データの輝度度数分布を作成することを特徴とする駆動回路。
【請求項６】
請求項１から５いずれかに記載の駆動回路を備えたことを特徴とする電気光学装置。
【請求項７】
請求項６に記載の電気光学装置を備えたことを特徴とする電子機器。
【請求項８】
複数の走査線と、複数のデータ線と、前記走査線と前記データ線との交差に対応して設けられた有機ＥＬ素子を含む複数の画素回路とを備えた電気光学装置の駆動方法であって、
前記画素回路を階調制御する階調信号を生成する階調信号生成手順と、
前記走査線のうち特定の走査線を順次選択し、この選択された走査線を接地する走査線切換え手順と、
前記階調信号に基づいて前記各データ線を介して前記ＥＬ素子に電流を供給するデータ線切換え手順と、を備え、
前記階調信号生成手順では、所定のデータ線がオンからオフに遷移するタイミングで、この所定のデータ線と異なるデータ線がオフからオンに遷移するように、前記各データ線が遷移する遷移タイミングを決定し、この遷移タイミングを含んで前記階調信号を生成することを特徴とする電気光学装置の駆動方法。
【請求項９】
マトリクス状に配置した複数の走査線と、複数のデータ線と、前記走査線と前記データ線との交差に対応して設けられた有機ＥＬ素子とを備え、前記有機ＥＬ素子を単純マトリクス駆動方式により駆動する電気光学装置の駆動方法であって、
前記画素回路を階調制御する階調信号を生成する階調信号生成手順と、
前記走査線のうち特定の走査線を順次選択し、この選択された走査線を接地する走査線切換え手順と、
前記階調信号に基づいて前記各データ線を介して前記ＥＬ素子に電流を供給するデータ線切換え手順と、を備え、
前記階調信号生成手順では、所定のデータ線がオンからオフに遷移するタイミングで、この所定のデータ線と異なるデータ線がオフからオンに遷移するように、前記各データ線が遷移する遷移タイミングを決定し、この遷移タイミングを含んで前記階調信号を生成することを特徴とする電気光学装置の駆動方法。
【請求項１０】
請求項８または９に記載の電気光学装置の駆動方法において、
前記階調信号生成手順では、入力される階調データに基づいて、この階調データの輝度度数分布を作成し、この輝度度数分布に基づいて、前記各データ線の遷移タイミングを決定することを特徴とする電気光学装置の駆動方法。
【請求項１１】
請求項８から１０いずれかに記載の駆動方法において、
前記階調信号生成手順では、前記各データ線に同時に流れる電流の総和が一定になるように、前記各データ線の遷移タイミングを決定することを特徴とする電気光学装置の駆動方法。
【発明の詳細な説明】
【技術分野】
【０００１】
本発明は、駆動回路に関し、特に、有機ＥＬ素子を含む表示部を備えた電気光学装置の駆動回路および駆動方法に関する。
【背景技術】
【０００２】
近年、有機ＥＬ(Electronic  Luminescence)素子を用いたフラットパネルディスプレイ（ＦＰＤ）等の電気光学装置が注目されている。有機ＥＬ素子は、自己を流れる電流によって自己発光する素子であり、電気光学装置は、マトリクス状に配置した複数の有機ＥＬ素子により画像表示を行う。電気光学装置には、単純マトリクス型と、ＴＦＴを使用するアクティブマトリクス型とがある。
【０００３】
図１３は、従来例の単純マトリクス型電気光学装置５００の構成を示すブロック図である。電気光学装置５００には、複数の走査線５１１と複数のデータ線５１２とが交差するように配置され、この交差に対応して複数の有機ＥＬ素子５２１が表示部５２０に設けられる。各有機ＥＬ素子の陽極はデータ線５１２に接続され、陰極は走査線５１１に接続されている。
【０００４】
走査線駆動回路５３０は走査線５１１を駆動し、データ線駆動回路５４０はデータ線５１２を駆動する。具体的には、複数の走査線５１１のうち選択されたマトリクスの行に対応する走査線５１１の走査信号が１水平走査期間Ｌレベルとなり、他の行の操作信号はＨレベルとなる。一方、データ線駆動回路５４０には、画像信号として各画素の階調データが入力され、データ線駆動回路５４０は、データ線５１２に、データ線駆動信号Ｄａｔａ１、Ｄａｔａ２、…Ｄａｔａｍとして階調データに応じたパルス幅を有するＨレベルのパルス信号を出力する。データ線駆動信号がＨレベルとなるパルス幅期間中、Ｌレベルに駆動された走査線の有機ＥＬ素子５２１が発光することになる。
図１４は、データ線駆動回路５４０の１水平走査期間での動作例を示すタイミングチャートである。この動作例では、データ線５１２の本数を１４とし、階調データの最大階調を４としている。データ線５１２の駆動開始・終了タイミング、つまり、有機ＥＬ素子５２１の点灯開始・終了タイミングは、４階調表示のため、１水平走査期間を４等分するＳ０、Ｓ１、Ｓ２、Ｓ３の位置のいずれかとなっている。
【０００５】
ここで図１３に戻ると、走査線５１１は、抵抗成分を有するため、データ線５１２から有機ＥＬ素子５２１を経て流れる電流により電圧降下を生じる。電流はデータ線５１２の駆動の状態によって変動するため、走査線５１１の各位置での電位も変動する。図１４に示される従来例では、各データ線とも駆動の開始タイミングが同時であり、１水平走査期間の初期に電流が集中する。例えば、Ｓ０では１４本のデータ線５１２が駆動され、Ｓ１では９本、Ｓ２では４本、Ｓ３では１本のデータ線５１２が駆動される。
図１５は、電気光学装置５００の走査線５１１上での画面位置と走査線電位の関係をタイミングごとに示すグラフである。それぞれの画面位置での電位は、１水平走査期間の初期であるＳ０で最も高く、Ｓ１、Ｓ２、Ｓ３となるにしたがって低下する。
【０００６】
ここで、データ線５１２の電位と走査線電位との差は、有機ＥＬ素子５２１の陽極−陰極間の電圧であり、有機ＥＬ素子５２１の発光輝度に影響を与える。例えば、走査線電位が高いと、非選択の有機ＥＬ素子にも電流が流れて発光するクロストークが生じる。このため、上述のような走査線電位の変動により有機ＥＬ素子５２１の明るさが均一とならず、表示むらやちらつきの原因となっていた（例えば、特許文献１参照。）。
ここで、特許文献２には、走査線の電流の集中を回避するため、データ線での駆動開始タイミングをそれぞれ１カウンタ分ずつ順次ずらす技術が示されている。
【特許文献１】特開２００３−１５６０４号公報
【特許文献２】特開２０００−２２１９４３号公報
【発明の開示】
【発明が解決しようとする課題】
【０００７】
しかしながら、特許文献２の構成では、走査線電流の集中は回避できるものの、電流の変動は解消されない。また、走査線電位の変動は、電気光学装置を大型化するにつれより顕著になる。したがって、表示むらやちらつきをより低減することが求められていた。
【０００８】
本発明は、走査線電流の変動を低減しクロストークを抑え、表示むらやちらつきの少ない電気光学装置の駆動回路および駆動方法を提供することを目的とし、また、この駆動回路を用いた電気光学装置、および電子機器を提供することを目的とする。
【課題を解決するための手段】
【０００９】
本発明の駆動回路は、複数の走査線と、複数のデータ線と、前記走査線と前記データ線との交差に対応して設けられた有機ＥＬ素子を含む表示部とを備えた電気光学装置の駆動回路であって、前記表示部を階調制御する階調信号を生成する階調信号生成手段と、前記走査線のうち特定の走査線を選択し、この選択された走査線を接地する走査線切換え手段と、前記階調信号に基づいて前記各データ線を介して前記ＥＬ素子に電流を供給するデータ線切換え手段と、を備え、前記階調信号生成手段は、所定のデータ線がオンからオフに遷移するタイミングで、この所定のデータ線と異なるデータ線がオフからオンに遷移するように、前記各データ線が遷移する遷移タイミングを決定し、この遷移タイミングを含んで前記階調信号を生成することを特徴とする。
【００１０】
この発明によれば、階調信号生成手段は、所定のデータ線がオンからオフに遷移するタイミングで、異なるデータ線がオフからオンに遷移するよう遷移タイミングを決定し、データ線切換え手段は、この遷移タイミングを含む階調信号に基づいて各データ線に電流を供給するので、所定のデータ線への電流供給が停止するとともに、異なるデータ線への電流供給が開始する。つまり、オン状態となり電流が供給されるデータ線の数が一定となり、データ線の駆動状態が変化しても、データ線から走査線に流れ込む電流を略一定の量にすることができる。したがって、走査線上での電圧降下による電位の変動を低減し、クロストークを低減することができる。
【００１１】
本発明の別の態様では、マトリクス状に配置した複数の走査線と、複数のデータ線と、前記走査線と前記データ線との交差に対応して設けられた有機ＥＬ素子とを備え、前記有機ＥＬ素子を単純マトリクス駆動方式により駆動する電気光学装置の駆動回路であって、前記表示部を階調制御する階調信号を生成する階調信号生成手段と、前記走査線のうち特定の走査線を選択し、この選択された走査線を接地する走査線切換え手段と、前記階調信号に基づいて前記各データ線を介して前記ＥＬ素子に電流を供給するデータ線切換え手段と、を備え、前記階調信号生成手段は、所定のデータ線がオンからオフに遷移するタイミングで、この所定のデータ線と異なるデータ線がオフからオンに遷移するように、前記各データ線が遷移する遷移タイミングを決定し、この遷移タイミングを含んで前記階調信号を生成することを特徴とする。
【００１２】
この発明によれば、データ線がオン状態となる時間によりＥＬ素子の発光輝度を制御する単純マトリクス駆動方式の駆動回路で、所定のデータ線への電流供給を停止させるとともに、異なるデータ線への電流供給を開始し、データ線から走査線に流れ込む電流を略一定の量にすることができる。したがって、走査線上での電圧降下による電位の変動を低減し、クロストークを低減することができる。
【００１３】
ここで、前記階調信号生成手段は、入力される階調データに基づいて、この階調データの輝度度数分布を作成し、この輝度度数分布に基づいて、前記各データ線の遷移タイミングを決定することが好ましい。
【００１４】
この発明によれば、データ線の遷移を、階調データ輝度度数分布に基づいて決定されるタイミングで行うので、データ線から走査線に流れ込む電流の変動をより低減することが可能となる。したがって、走査線上での電圧降下による電位の変動を低減することができる。
【００１５】
ここで、前記階調信号生成手段は、前記各データ線に同時に流れる電流の総和が一定になるように、前記各データ線の遷移タイミングを決定することが好ましい。
【００１６】
この発明によれば、データ線から走査線に流れ込む電流の変動をより低減して、走査線上での電圧降下による電位の変動を低減し、クロストークを低減することができる。
【００１７】
ここで、前記階調信号生成手段は、１フレーム分の階調データに基づいて、この階調データの輝度度数分布を作成することが好ましい。
【００１８】
１画面分の画像データである１フレーム分の階調データに基づく輝度度数分布から各データ線の遷移タイミングを決定するので、各データ線に同時に流れる電流の総和の変動をより低減できる。
【００１９】
また、有機ＥＬ素子表示装置といった電気光学装置に、前記駆動回路を備えることにより、走査線上での電位の変動が少ない電気光学装置を提供することができる。
【００２０】
また、電子機器に前記電気光学装置を備えることにより、走査線上での電位の変動が少ない電子機器を提供することができる。
【００２１】
また、本発明は、電気光学装置を駆動するための方法としても特定され得る。この駆動方法は、複数の走査線と、複数のデータ線と、前記走査線と前記データ線との交差に対応して設けられた有機ＥＬ素子を含む複数の画素回路とを備えた電気光学装置の駆動方法であって、前記画素回路を階調制御する階調信号を生成する階調信号生成手順と、前記走査線のうち特定の走査線を順次選択し、この選択された走査線を接地する走査線切換え手順と、前記階調信号に基づいて前記各データ線を介して前記ＥＬ素子に電流を供給するデータ線切換え手順と、を備え、前記階調信号生成手順では、所定のデータ線がオンからオフに遷移するタイミングで、この所定のデータ線と異なるデータ線がオフからオンに遷移するように、前記各データ線が遷移する遷移タイミングを決定し、この遷移タイミングを含んで前記階調信号を生成することを特徴とする。
【００２２】
また、本発明の別の態様では、マトリクス状に配置した複数の走査線と、複数のデータ線と、前記走査線と前記データ線との交差に対応して設けられた有機ＥＬ素子とを備え、前記有機ＥＬ素子を単純マトリクス駆動方式により駆動する電気光学装置の駆動方法であって、前記画素回路を階調制御する階調信号を生成する階調信号生成手順と、前記走査線のうち特定の走査線を順次選択し、この選択された走査線を接地する走査線切換え手順と、前記階調信号に基づいて前記各データ線を介して前記ＥＬ素子に電流を供給するデータ線切換え手順と、を備え、前記階調信号生成手順では、所定のデータ線がオンからオフに遷移するタイミングで、この所定のデータ線と異なるデータ線がオフからオンに遷移するように、前記各データ線が遷移する遷移タイミングを決定し、この遷移タイミングを含んで前記階調信号を生成することを特徴とする。
【００２３】
この発明によれば、上述した駆動回路と同様の理由により、走査線上での電圧降下による電位の変動を低減し、クロストークを低減することができる。
【００２４】
また、前記駆動方法において、前記階調信号生成手順では、入力される階調データに基づいて、この階調データの輝度度数分布を作成し、この輝度度数分布に基づいて、前記各データ線に同時に流れる電流の総和が一定になるように、前記各データ線の遷移タイミングを決定することが好ましい。
【００２５】
この発明によれば、データ線の遷移タイミングの決定が、入力される階調データ輝度度数分布に基づいて行われるため、データ線から走査線に流れ込む電流の変動をより低減することが可能となる。
【００２６】
また、前記駆動方法において、前記階調信号生成手順では、前記各データ線に同時に流れる電流の総和が一定になるように、前記各データ線の遷移タイミングを決定することが好ましい。
【００２７】
この発明によれば、データ線から走査線に流れ込む電流の変動をより低減して、走査線上での電圧降下による電位の変動を低減し、クロストークを低減することができる。
【発明を実施するための最良の形態】
【００２８】
＜１．第１実施形態＞
まず、本発明の第１実施形態に係る電気光学装置１００の構成について図を参照して説明する。
【００２９】
＜１−１：構成＞
図１は、電気光学装置１００の構成を示す回路図である。
電気光学装置１００は、複数の走査線１１１と、複数のデータ線１１２と、前記走査線と前記データ線との交差に対応してマトリクス状に設けられた有機ＥＬ素子１２１を含む表示部１２０とを備えており、さらに、電気光学装置１００を駆動する駆動回路としてのデータ線駆動回路１４０および走査線駆動回路１３０と、制御回路１５０とを備えている。各有機ＥＬ素子１２１の陽極はデータ線１１２に接続され、陰極は走査線１１１に接続されている。
【００３０】
制御回路１５０は、走査線駆動回路１３０およびデータ線駆動回路１４０に対し、画像信号、タイミング信号、およびクロック信号を出力する。
走査線切換え手段としての走査線駆動回路１３０は、走査線１１１のうち特定の走査線を順次選択し、この選択された走査線を１水平走査期間接地する。また、他の走査線は所定の電位に駆動する。
【００３１】
図２は、データ線駆動回路１４０の構成を示すブロック図である。
データ線駆動回路１４０は、データ線ドライバ１４１と階調信号生成回路１４２とを備えている。
データ線切換え手段としてのデータ線ドライバ１４１は、階調信号生成回路１４２が生成する階調信号に基づいて各データ線１１２に定電流を供給する。データ線１１２に電流が供給されオン状態となると、このデータ線と、接地された走査線１１１とを接続する有機ＥＬ素子１２１に電流が流れ、有機ＥＬ素子１２１が発光する。データ線１１２への電流供給が停止されオフ状態となると、有機ＥＬ素子１２１は発光を停止する。
【００３２】
階調信号生成手段としての階調信号生成回路１４２は、表示部を階調制御するための階調信号を生成する。電気光学装置１００における階調制御は、時間階調制御により行う。すなわち、データ線１１２を通じて有機ＥＬ素子１２１に電流を供給する時間の長短を制御することにより、有機ＥＬ素子１２１の発光時間を制御して、発光輝度を変化させ階調の表示を行う。
【００３３】
階調信号生成回路１４２は、タイミング演算回路１４３とタイミングデータシフトレジスタ１４６とタイミング生成部１４７を備えている。タイミング生成部１４７は、データ線１１２のそれぞれに対応する複数のタイミング生成回路１４８を備える。
【００３４】
タイミング演算回路１４３は、入力される階調データに応じて、データ線をオン状態に遷移させるタイミングおよびオフ状態に遷移させるタイミングを演算する。
ここで、制御回路１５０からタイミング演算回路１４３に入力される階調データは、有機ＥＬ素子１２１のそれぞれの発光輝度の階調を表わす信号であり、クロック信号Ｃｌｏｃｋに同期して連続して入力される。
具体的には、１個の走査線に対応して、Ｄｉｎ１から、Ｄｉｎｍまでのｍ個の信号が順次入力され、続く１水平走査期間には、次の走査線に対応してｍ個のデータ線に対応する信号が順次入力される。
【００３５】
タイミング演算回路１４３は、画像信号として階調データＤｉｎｉが１個分入力されるごとに、この値に基づいて、データ線をオン状態からオフ状態に遷移するタイミング（以下、オフタイミングという）を決定する。ここで、データ線をオン状態に保持して電流を供給する時間を、階調データＤｉｎｉの値に比例させることにより、時間階調制御を行う。このとき、タイミング演算回路１４３は、データ線をオン状態からオフ状態に遷移するタイミング（以下、オンタイミングという）を、１個前のデータが対応するデータ線におけるオフタイミングとする。つまり、１個前のデータが対応する所定のデータ線がオンからオフに遷移するオフタイミングで、この所定のデータ線と異なる次のデータ線がオフからオンに遷移するオンタイミングとするように、各データ線１１２が遷移する遷移タイミングを決定する。そして、このオンタイミングから、階調データＤｉｎｉの値に対応する時間の経過時点をオフタイミングとする。
したがって、所定のデータ線のオフタイミングは、階調データＤｉｎｉの入力ごとに対応する時間が加算された値となる。なお、加算された結果のオフタイミングが１水平走査期間の終了タイミングを超える場合には、この終了タイミングまでオン状態とするとともに、１水平走査期間の開始時間からオン状態として開始し、このオン状態の時間と終了タイミングまでのオン状態の時間の合計が階調データに対応するようオフタイミングを決定する。
なお、タイミング演算回路１４３の上述の動作は、ｉ番目のデータ線に対応する階調データをＤｉｎｉとし、ｉ番目のデータ線のオフタイミングをＳｉとすると、次のように記述することができる。
【００３６】
【表１】
2006243222.tif 000003
【００３７】
ここで、制御する階調が４階調の場合の、階調信号生成回路１４２が遷移タイミングを決定する例を説明する。例えば、階調データＤｉｎｉが、クロックに同期して１、３、４、２、２、１…と入力される場合、タイミング演算回路１４３が出力するオフタイミングは、例えば、図３のチャートに順に示すように、始めに１、さらに３を加えた値の４、さらに２を加え４を減じた値の２、さらに２を加えた値の４、そしてさらに１を加え４を減じた値の１となる。
【００３８】
このように、タイミング演算回路１４３は、所定のデータ線をオフ状態に遷移させるとともに、異なるデータ線をオンに遷移させるようオフタイミングを決定し、オフタイミングのデータをタイミングデータシフトレジスタ１４６に順次出力する。
【００３９】
タイミングデータシフトレジスタ１４６は、タイミング演算回路１４３の演算結果をクロック信号Ｃｌｏｃｋに従って入力し、ＴｍからＴ０まで順次シフトする。シフトされたデータはタイミング生成回路１４８に出力される。
【００４０】
タイミング生成回路１４８は、タイミングデータシフトレジスタ１４６の出力信号を、１水平走査期間毎に供給されるラッチ信号Ｌａｔｃｈにより取り込む。タイミング生成回路１４８は、タイミングデータシフトレジスタ１４６の出力信号を、オンタイミングデータＯＮとオフタイミングデータＯＦＦとして取り込む。ここで、オンタイミングデータＯＮの値は、隣のデータ線についてのオフタイミングデータＯＦＦの値に等しいので、１個のタイミングデータは、隣り合う２個のタイミング生成回路１４８に取り込まれる。
タイミング生成回路１４８は、オンタイミングデータＯＮおよびオフタイミングデータＯＦＦと、基準となるタイミングを示すカウンタの値とを比較することにより、階調データに基づいた遷移タイミングのパルス幅の階調制御信号をデータ線ドライバ１４１に出力する。
【００４１】
このようにして、階調信号生成回路１４２は、あるデータ線のオンタイミングを、次のデータ線のオフタイミングとするように、データ線が遷移する遷移タイミングを決定し、この遷移タイミングを含んで階調信号を生成する。
【００４２】
データ線ドライバ１４１は、タイミング生成回路１４８が出力するパルス幅の信号に応じて、データ線１１２に定電流を供給する。電流が供給されるデータ線１１２に接続される有機ＥＬ素子は、電流が供給される期間だけ発光する。
このようにして、データ線ドライバ１４１からは、制御回路１５０から入力される画像信号の階調データに応じたタイミングのパルスであるデータ線駆動信号Ｄａｔａ１、Ｄａｔａ２、Ｄａｔａ３、…Ｄａｔａｍが出力される。
【００４３】
＜１−２：作用＞
図３は、データ線駆動回路１４０の動作を示すタイミングチャートである。
ここで、説明を簡略化するために、データ線を１４本（ｍ＝１４）とし、階調データの最大値を４階調とする。４階調の時間階調制御において、データ線の駆動開始タイミングが取り得る位置は、１水平走査期間を４等分する位置Ｓ０、Ｓ１、Ｓ２、Ｓ３のいずれかとなる。なお、Ｓ４は、次の水平走査期間のＳ０に等しい。
ここで、Ｄａｔａ１、Ｄａｔａ２、Ｄａｔａ３、…Ｄａｔａ１４に対応して、入力される値が、１、３、４、２、２、１、３、１、１、２、３、２、１、２とすると、データ線の駆動開始タイミングは、図３のタイミングチャートに示す通りとなる。データ線は、それぞれ値に対応する期間、オン状態にされる。また、Ｄａｔａ１、Ｄａｔａ２、Ｄａｔａ３、…Ｄａｔａ１４の順で、データ線のオンタイミングが前のデータ線のオフタイミングとなる。すなわち、例えば、Ｄａｔａ２のオンタイミングは、前のデータ線の信号Ｄａｔａ１のオフタイミングであるＳ１となる。また、Ｄａｔａ１２のように、オンタイミングがＳ３から始まり、Ｓ４で終わらない場合、残りの期間に相当する部分はＳ０から開始する。
図３の例では、オン状態に駆動されるデータ線の数が、常に７個であり一定の範囲となっている。
【００４４】
＜１−３：効果＞
データ線駆動回路１４０によれば、例えば、図３に示すように、それぞれのタイミングでオン状態に駆動されるデータ線の数を略等しく保つことができるので、それぞれのタイミングで走査線に流れる電流の変動を低減できる。
図４は、電気光学装置１００の走査線上での電圧降下を示すグラフである。Ｓ０、Ｓ１、Ｓ２、Ｓ３のそれぞれのタイミングにおける走査線電位の変動が、従来例（図１５）に比べて小さいことが示されている。
例えば、従来例（図１４）のように、それぞれのデータ線の駆動開始タイミングを１カウンタ分ずつ順次ずらした場合であっても、オン状態の期間が長いデータ線と短いデータ線が隣接して混在していると、それぞれのタイミングでオン状態に駆動されるデータ線の数が変動してしまっていた。
電気光学装置１００によれば、タイミングでオン状態に駆動されるデータ線の数を略等しくすることができるので、それぞれのタイミングで走査線に流れる電流の変動を低減できる。したがって、そしてクロストークの発生を抑え、表示むらやちらつきを低減することができる。
【００４５】
＜２．第２実施形態＞
＜２−１：構成＞
図５は、本発明の第２実施形態に係る電気光学装置２００のデータ線駆動回路２４０の構成を示すブロック図である。本実施形態に係るデータ線駆動回路２４０を備える電気光学装置２００は、第１実施形態の電気光学装置１００（図１）に対しデータ線駆動回路２４０の内部の構成が異なり、他の構成は同様であるので、図示および説明を省略する。
ここで、データ線駆動回路２４０は、階調信号生成回路２４２とデータ線切換え手段としてのデータ線ドライバ２４１とを備えている。階調信号生成手段としての階調信号生成回路２４２は、入力される階調データに基づいて、この階調データの輝度度数分布を作成し、この輝度度数分布に基づいて、各データ線に同時に流れる電流の総和が一定になるように、各データ線の遷移タイミングを決定する。階調信号生成回路２４２は、タイミング演算回路２４３とタイミングデータシフトレジスタ２４６とタイミング生成部２４７を備え、さらに、度数分布生成回路２４４とラインデータバッファ２４５を備えている。また、タイミング生成部２４７は、データ線２１２のそれぞれに対応する複数のタイミング生成回路２４８を備える。
【００４６】
度数分布生成回路２４４は、クロックに同期して制御回路１５０から画像信号出力される階調データを入力し、入力される画像信号に基づいて１水平走査期間における階調ごとの画像信号数を示す度数分布を生成するとともに、階調データをラインデータバッファ２４５に書き込む。
【００４７】
ラインデータバッファ２４５は、例えばＲＡＭにより構成される先入れ先出し形式のメモリであり、度数分布生成回路２４４から出力される階調データを１水平走査期間分記憶する。
【００４８】
タイミング演算回路２４３は、度数分布生成回路２４４が生成した１水平走査期間の度数分布に基づいて、タイミング演算回路２４３に入力されてラインデータバッファ２４５に記憶された階調データごとの、オンタイミングを決定する。タイミング演算回路２４３は、決定されたオンタイミングの情報を、ラインデータバッファ２４５から入力する階調データとともにタイミングデータシフトレジスタ２４６に出力する。
【００４９】
タイミングデータシフトレジスタ２４６は、タイミング演算回路２４３が出力するオンタイミングのデータおよび階調データをクロック信号Ｃｌｏｃｋに従って入力し、ＴｎからＴ０まで順次シフトする。シフトされたデータはタイミング生成回路２４８に出力される。
【００５０】
タイミング演算回路２４３は、タイミングデータシフトレジスタ２４６が出力するオンタイミングのデータおよび階調データを、１水平走査期間毎に供給されるラッチ信号Ｌａｔｃｈにより取り込む。タイミング生成回路２４８は、オンタイミングデータＯＮとオフタイミングＯＦＦとしての階調データを取り込む。
【００５１】
タイミング生成回路２４８は、オンタイミングおよびオフタイミングの基準となるタイミングを示すカウンタを有し、このカウンタと、オンタイミングおよびオンタイミングから階調データに対応する期間の経過時であるオフタイミングとの値とを比較して、階調に応じたパルス幅の信号をデータ線ドライバ２４１に出力する。
【００５２】
データ線ドライバ２４１は、タイミング生成回路２４８が出力するパルス幅の信号に応じて、データ線２１２に定電流を供給する。電流が供給されるデータ線２１２に接続される有機ＥＬ素子は、電流が供給される期間だけ発光する。
このようにして、データ線ドライバ２４１からは、制御回路２５０から入力される階調データに応じた幅のパルスであるデータ線駆動信号Ｄａｔａ１、Ｄａｔａ２、Ｄａｔａ３、…Ｄａｔａｍが出力される。
【００５３】
ここで、階調信号生成回路２４２がオンタイミングを決定する手順を説明する。
まず、度数分布生成回路２４４が、階調データの数を示す度数分布を生成する。続いて、タイミング演算回路２４３は、入力される度数分布から、まず、階調が最も小さいデータを補填データとし、この数（度数）を読み出し、この補填データのオン状態時間によって、他の階調データである被補填データのオフ状態時間を補填するようにする。被補填データのオフ状態時間は、被補填データの階調と最大可能階調との差である。補填を行うことができる場合、補填データのオンタイミングは、補填がされる被補填データのオフタイミングとなる。
ここで、被補填データとしては、まず、階調が最も大きいデータを採用し、採用された被補填データのオフ時間を上述のオン時間で補填しきれない場合や、オフ時間がオン時間よりも短いため補填ができない場合には、次点で階調が大きいデータを被補填データとして順次採用していく。
続いて、全ての補填データで被補填データのオフ時間を補填した場合、次に階調が小さいデータの数を補填データとして読み出す。そして、上述と同様に、これらのデータのオン状態時間によって、被補填データのオフ状態時間を補填するようにする。ただし、既にオフ時間が補填され最大可能階調との差が無くなったデータは被補填データとして採用しない。
続いて、全ての補填データで被補填データのオフ時間を補填した場合、次に階調が小さいデータの数を読み出し、同様の処理を行う。
補填の処理を、最大可能階調の１／２の階調のデータまで繰り返す。
【００５４】
＜２−２：作用＞
図７は、発光のタイミングを決定する手順を、最大可能階調が４の場合に適用した例を示すフローチャートである。階調信号生成回路２４２が遷移タイミングを決定する手順の例を、フローチャートを参照して説明する。
【００５５】
度数分布生成回路２４４が階調データの数を示す度数分布を生成する（Ｓ１１）。
タイミング演算回路２４３は、まず、階調が最も小さい１であるデータの数（度数）を読み出し、これらのデータのオン状態時間によって、他のデータのオフ状態時間を補填するようにする。他のデータとしては、まず階調が最も大きい４であるデータを採用するが、４は最大階調でありオフ時間が無いため補填できない。そこで、次点で階調が大きい３であるデータを採用する。そこで、階調が１であるデータの度数（Ｎ１）と階調が３であるデータの度数（Ｎ３）との差（Ｍ１）を計算し、差が０より大きいか否かを判別する（Ｓ１２）。０より大きくないと判別された場合（Ｓ１２でＮＯ）、階調が３であるデータのオフ時間を、階調が１である全て（Ｎ１個）のデータのオン時間で補填することができるので、Ｎ１個の階調が１であるデータのオンタイミングを、階調が３であるデータのオフタイミングであるＳ３とする（Ｓ１３）。続いて、次に階調が小さい２であるデータの数（Ｎ２）を読み出し、次点で階調が大きい２であるデータのオフ時間を補填する。補填するデータと補填されるデータが同じ２階調であるので、２階調のデータの数（Ｎ２）の半数のオンタイミングをＳ０とし、残りの半数のデータのオフタイミングであるＳ２とし（Ｓ１４）、手順を終了する。
【００５６】
Ｓ１２の手順で、差が０より大きいと判別された場合（Ｓ１２でＹＥＳ）、１階調のデータのうち、階調が３であるデータの数（Ｎ３個）だけ、オンタイミングをＳ３とする（Ｓ１５）。続いて、次点で階調が大きい２階調のデータを採用し、このオフ時間を、残りの１階調のデータ（Ｍ１個）のオン時間で補填できるか判別する（Ｓ１６）。ここで、２階調のデータのオフ時間は、２個の１階調データで補填することができるので、２階調のデータの数（Ｎ２）と、Ｍ１の１／２との差（Ｍ２）を計算し、計算結果が、０より大きいか否か判別する。０より大きくないと判別された場合（Ｓ１６でＮＯ）、１階調のデータのうち、２階調のデータの数の２倍（Ｎ２ｘ２個）だけ、オンタイミングをＳ２またはＳ３とし、２階調よりも小さい階調のデータはないので、残りの１階調データの数（Ｍ２ｘ２個）のオンタイミングをＳ０、Ｓ１、Ｓ２、Ｓ３に分散して（Ｓ１７）、手順を終了する。
【００５７】
Ｓ１６の手順で、差が０より大きいと判別された場合（Ｓ１６でＹＥＳ）、階調が２であるデータのオフ時間を、階調が１である残り全て（Ｍ１個）のデータのオン時間で補填することができるので、Ｍ１個の階調が１であるデータの半数（Ｍ１／２個）のデータオンタイミングを、Ｓ２とし、残りの半数のデータのオフタイミングをＳ３とする（Ｓ１８）。続いて、次に階調が小さい２であるデータの残りの数（Ｍ２）を読み出し、次点で階調が大きい２であるデータのオフ時間を補填する。補填するデータと補填されるデータが同じ２階調であるので、２階調の数（Ｍ２）の半数のオンタイミングをＳ０とし、残りの半数のデータのオフタイミングであるＳ２とし（Ｓ１９）、手順を終了する。
【００５８】
図６は、データ線の本数を１４とし、データ線駆動信号Ｄａｔａ１、Ｄａｔａ２、Ｄａｔａ３、…Ｄａｔａ１４に対応して、入力される階調データの値が、順番に１、３、４、２、２、１、３、１、１、２、３、２、１、２であるとした場合の度数分布を示し、図の破線の矢印は、上述の例で入力された階調のデータについて、図５に示す手順により補填するデータと補填されるデータの関係を示している。
【００５９】
図８は、データ線駆動回路２４０の動作の例を示すタイミングチャートであり、入力される階調データの値が、図６に示す度数分布となる場合の例を示す。この場合、Ｄａｔａ１、Ｄａｔａ２、Ｄａｔａ３、…Ｄａｔａ１４に対応して、入力される階調データＤｉｎｉの値が、１、３、４、２、２、１、３、１、１、２、３、２、１、２であるとすると、データ線の駆動開始タイミングは、図８のタイミングチャートに示す通りである。データ線は、それぞれ階調データの値に対応する期間、オン状態に駆動される。図８の例では、Ｄｉｎ１のオン時間がＤｉｎ２のオフ時間を補填するよう、Ｄｉｎ１のオンタイミングは、Ｄｉｎ２のオフタイミングであるＳ３となっている。同様に、Ｄｉｎ６のオンタイミングは、Ｄｉｎ７のオフタイミングであるＳ３となっている。Ｄｉｎ８のオンタイミングは、Ｄｉｎ１１のオフタイミングであるＳ３となっている。また、Ｄｉｎ９のオンタイミングは、Ｄｉｎ４のオフタイミングであるＳ２となっており、Ｄａｔ１３のオンタイミングは、Ｄｉｎ９のオフタイミングであるＳ３となっている。また、Ｄｉｎ５のオンタイミングは、Ｄｉｎ１０のオフタイミングであるＳ２となっており、Ｄａｔ１４のオンタイミングは、Ｄｉｎ１２のオフタイミングであるＳ２となっている。
図８の例では、それぞれのタイミングでオン状態に駆動されるデータ線の数が７個であり、データ線に流れる電流の総和が略一定となっている。
【００６０】
＜２−３：効果＞
図８に示すように、それぞれのタイミングでオン状態に駆動されるデータ線の数が略等しいので、それぞれのタイミングで走査線に流れる電流の変動を低減できる。
図９は、電気光学装置２００で上述の入力データを表示した場合の走査線上での電圧降下を示すグラフである。Ｓ０、Ｓ１、Ｓ２、Ｓ３のそれぞれのタイミングにおける走査線電位の変化が、従来例（図１５）に比べてさらに小さいことが示されている。
ここで、従来例として、データ線のオンタイミングが全て同時の場合を示したが、仮に、それぞれのデータ線の駆動開始タイミングを１カウンタ分ずつ順次ずらした場合であっても、オン状態の期間が長いデータ線と短いデータ線が隣接して混在していると、それぞれのタイミングでオン状態に駆動されるデータ線の数が変動してしまう。
電気光学装置２００のデータ線駆動回路２４０によれば、それぞれのタイミングでオン状態に駆動されるデータ線の数が略等しいので、それぞれのタイミングで走査線に流れる電流の変動を低減できる。したがって、走査線電流の変動を低減し、表示むらやちらつき、そしてクロストークの発生を抑えることができる。走査線電位の変動は、電気光学装置を大型化するほど、より顕著になるが、データ線駆動回路２４０の構成により、電気光学装置が大型化しても、表示むらやちらつき、クロストークを抑えることができる。
【００６１】
＜３：変形例、改良例＞
なお、本発明は前記実施形態に限定されるものではなく、本発明の目的を達成できる範囲での変形、改良等は本発明に含まれるものである。
【００６２】
例えば、前記実施形態では、電気光学装置は、駆動回路を備えるとして説明したが、本発明はこれに限らず、駆動回路の一部または全部を、電気光学装置として素子基板に形成する替わりに、例えば、ＴＡＢ（Tape  Automated  Bonding）技術を用いてフィルムに実装された駆動回路を、素子基板の所定位置に設けられる異方性導電フィルムを介して電気的および機械的に接続する構成としても良いし、駆動回路が形成されたＩＣチップを、ＣＯＧ（Chip  On  Glass）技術を用いて、電気光学装置が形成された素子基板の所定位置に接続する構成としてもよい。
【００６３】
＜４．電子機器＞
次に、上述した実施形態および応用例に係る電気光学装置１００を適用した電子機器について説明する。図１０に、電気光学装置１００を適用したモバイル型のパーソナルコンピュータの構成を示す。パーソナルコンピュータ２０００は、表示ユニットとしての電気光学装置１００と本体部２０１０を備える。本体部２０１０には、電源スイッチ２００１およびキーボード２００２が設けられている。この電気光学装置１００は、入力感度が製造プロセスのばらつきによる影響を受けないレベルシフト回路を備えるので、均質な画像を表示することができる。
【００６４】
図１１に、電気光学装置１００を適用した携帯電話機の構成を示す。携帯電話機３０００は、複数の操作ボタン３００１およびスクロールボタン３００２、ならびに表示ユニットとしての電気光学装置１００を備える。スクロールボタン３００２を操作することによって、電気光学装置１００に表示される画面がスクロールされる。図１２に、電気光学装置１００を適用した情報携帯端末（ＰＤＡ：Personal  Digital  Assistants）の構成を示す。情報携帯端末４０００は、複数の操作ボタン３００１および電源スイッチ４００２、ならびに表示ユニットとしての電気光学装置１００を備える。電源スイッチ４００２を操作すると、住所録やスケジュール帳といった各種の情報が電気光学装置１００に表示される。
【００６５】
なお、電気光学装置１００が適用される電子機器としては、図１０〜図１２に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等が挙げられる。そして、これらの各種電子機器の表示部として、前述した電気光学装置１００が適用可能である。
【図面の簡単な説明】
【００６６】
【図１】本発明の第１実施形態に係る電気光学装置１００の構成を示すブロック図である。
【図２】電気光学装置１００のデータ線駆動回路の構成を示すブロック図である。
【図３】データ線駆動回路の動作を示すタイミングチャートである。
【図４】電気光学装置１００の走査線上での電圧降下を示すグラフである。
【図５】本発明の第２実施形態に係るデータ線駆動回路の構成を示すブロック図である。
【図６】第２実施形態に係る輝度階調ごとのデータの分布の例を示すグラフである。
【図７】輝度階調ごとのデータの分布から発光のタイミングを決定する手順を示すフローチャートである。
【図８】データ線駆動回路の動作を示すタイミングチャートである。
【図９】第２実施形態に係る電気光学装置の走査線上での電圧降下を示すグラフである。
【図１０】前記した電気光学装置を適用したモバイル型のパーソナルコンピュータの構成を示す斜視図である。
【図１１】前記した電気光学装置を適用した携帯電話機の構成を示す斜視図である。
【図１２】前記した電気光学装置を適用した情報携帯端末の構成を示す斜視図である。
【図１３】従来例の電気光学装置５００の構成を示すブロック図である。
【図１４】従来例の電気光学装置５００のデータ線駆動回路の動作を示すタイミングチャートである。
【図１５】従来例の電気光学装置５００の走査線上での電圧降下を示すグラフである。
【符号の説明】
【００６７】
１００，２００…電気光学装置、１１１…走査線、１１２…データ線、１２１…有機ＥＬ素子、１３０…走査線駆動回路（走査線切換え手段、駆動回路）、１４０，２４０…データ線駆動回路（駆動回路）、１４１，２４１…データ線ドライバ（データ線切換え手段）、１４２，２４２…階調信号生成回路（階調信号生成手段）、１４３，２４３…タイミング演算回路、１４６…タイミングデータシフトレジスタ、１４７，２４７…タイミング生成部、１４８，２４８…タイミング生成回路、１５０…制御回路、２４４…度数分布生成回路、２４５…ラインデータバッファ、２４８…タイミング生成回路、２０００…パーソナルコンピュータ、３０００…携帯電話機、４０００…情報携帯端末
【図１】
2006243222.tif 000004
【図２】
2006243222.tif 000005
【図４】
2006243222.tif 000006
【図５】
2006243222.tif 000007
【図６】
2006243222.tif 000008
【図７】
2006243222.tif 000009
【図９】
2006243222.tif 000010
【図１０】
2006243222.tif 000011
【図１１】
2006243222.tif 000012
【図１２】
2006243222.tif 000013
【図１３】
2006243222.tif 000014
【図１５】
2006243222.tif 000015
【図３】
2006243222.tif 000016
【図８】
2006243222.tif 000017
【図１４】
2006243222.tif 000018